(57)【要約】  刃支持部内のスロット付近の髭剃り力に応答して撓むかみそり刃・支持部組立体が提供される。かみそりカートリッジが、ハウジング内に配置された前述のかみそり刃・支持部組立体の１つ又はそれ以上を含む。かみそりカートリッジは、髭剃り用かみそりを提供するために、ハンドルに恒久的に又は取り外し可能に連結することができる。
2008539881.tif 000002
【特許請求の範囲】
【請求項１】
かみそり刃・支持部組立体であって、
下面及び切削縁を有するかみそり刃と、
上部及び下部を有し、その前記上部が前記かみそり刃の前記下面に取り付けられ、その前記下部が１つ又はそれ以上のスロットを有する、刃支持部と、
前記スロットにより前記組立体が該スロット付近に撓むことが可能になることを特徴とするかみそり刃・支持部組立体。
【請求項２】
少なくとも１つのスロットが、前記刃支持部の前記上部内に延びることを特徴とする請求項１に記載のかみそり刃・支持部組立体。
【請求項３】
前記刃支持部は、少なくとも１つの停止面をさらに含むことを特徴とする請求項２に記載のかみそり刃・支持部組立体。
【請求項４】
前記刃支持部は第１の材料で作製され、前記スロットは、第２の材料のウェブによって架橋され、前記第２の材料は、前記第１の材料より低い弾性係数を有することを特徴とする請求項３に記載のかみそり刃・支持部組立体。
【請求項５】
かみそり刃・支持部組立体であって、前記組立体は、
長さを定め、かつ、下面及び切削縁を有するかみそり刃と、
各々が上部及び下部を有し、各々の前記上部が前記かみそり刃の前記下面に取り付けられた、２つ又はそれ以上の刃支持部と、
を備え、
１つの刃支持部の少なくとも１つの下部は、他の刃支持部の各々の他の下部から前記刃の前記長さに沿って離間配置され、
前記空間により前記組立体が撓むことが可能になることを特徴とするかみそり刃・支持部組立体。
【請求項６】
少なくとも１つの刃支持部は、少なくとも１つの停止面をさらに含むことを特徴とする請求項５に記載のかみそり刃・支持部組立体。
【請求項７】
前記刃支持部は、第１の材料で作製され、該刃支持部の隣接する端部は、第２の材料のウェブによって架橋され、前記第２の材料は、前記第１の材料より低い弾性係数を有することを特徴とする請求項６に記載のかみそり刃・支持部組立体。
【請求項８】
前記刃支持部は、前記可撓性の支持されたかみそり刃の中立軸の近くで均一的に相互接続されることを特徴とする請求項７に記載のかみそり刃・支持部組立体。
【請求項９】
３つ又はそれ以上の刃支持部と、２つ又はそれ以上のウェブとを備え、前記ウェブは、均一的に相互接続されることを特徴とする請求項８に記載のかみそり刃・支持部組立体。
【請求項１０】
前記ハウジングの前部のガードと、該ハウジングの後部のキャップと、該ガードと該キャップとの間の刃取り付け領域と、該ガードと該キャップを接続する２つの端壁と、１つ又はそれ以上の抑制面とを備え、
少なくとも１つのかみそり刃・支持部組立体が、前記刃取り付け領域に配置され、
前記抑制面は、前記ハウジングの外への方向に前記かみそり刃・支持部組立体の曲げ撓みを制限することを特徴とするかみそりカートリッジのためのハウジング。
【請求項１１】
前記曲げ撓みは、０．２ｍｍ未満に制限されることを特徴とする請求項１０に記載のかみそりカートリッジのためのハウジング。
【請求項１２】
前記曲げ撓みは、０．１ｍｍ未満に制限されることを特徴とする請求項１０に記載のかみそりカートリッジのためのハウジング。
【請求項１３】
かみそりカートリッジであって、
前記ハウジングの前部のガードと、該ハウジングの後部のキャップと、該ガードと該キャップとの間の刃取り付け領域と、該ガードと該キャップを接続する２つの端壁と、１つ又はそれ以上の抑制面とを有するハウジングと、
前記刃取り付け領域に配置された、かみそり刃と、１つ又はそれ以上の停止面を有する刃支持部とを含む、少なくとも１つのかみそり刃・支持部組立体と、
を備え、
前記停止面の少なくとも１つは、前記かみそり刃・支持部組立体が、撓んで第１の曲げ撓みを前記ハウジング内に定め、かつ、前記かみそり刃・支持部組立体の前記撓みを制限して該ハウジングの外への方向に第２の曲げ撓みを定めることができるように、前記抑制面の少なくとも１つに対して構成されることを特徴とするかみそりカートリッジ。
【請求項１４】
前記かみそり刃・支持部組立体の前記第２の曲げ撓みは、０．２ｍｍ未満に制限されることを特徴とする請求項１３に記載のかみそりカートリッジ。
【請求項１５】
前記かみそり刃・支持部組立体の前記第２の曲げ撓みは、０．１ｍｍ未満に制限されることを特徴とする請求項１３に記載のかみそりカートリッジ。
【請求項１６】
前記ハウジングは、制限面をさらに含むことを特徴とする請求項１３に記載のかみそりカートリッジ。
【請求項１７】
前記かみそり刃・支持部組立体の前記第１の曲げ撓みは、０．５ｍｍに制限されることを特徴とする請求項１６に記載のかみそりカートリッジ。
【請求項１８】
前記かみそり刃・支持部組立体の前記第１の曲げ撓みは、０．３ｍｍに制限されることを特徴とする請求項１６に記載のかみそりカートリッジ。
【請求項１９】
２つ又はそれ以上のかみそり刃・支持部組立体を備え、最前方のかみそり刃・支持部組立体の前記第１の曲げ撓みの制限は、いずれかの他のかみそり刃・支持部組立体の該第１の曲げ撓みの制限より大きいことを特徴とする請求項１３に記載のかみそりカートリッジ。
【請求項２０】
前記ハウジングに連結されたハンドルをさらに含む請求項１３に記載の前記かみそりカートリッジを備えることを特徴とする髭剃り用かみそり。
【発明の詳細な説明】
【技術分野】
【０００１】
本発明は、一般に、髭剃り用かみそりに関し、より具体的には、かみそり刃・支持部組立体がハウジング内に配置されたかみそりカートリッジに関する。
【背景技術】
【０００２】
現在の髭剃り用かみそりは、ハンドルに連結されたハウジング内に配置された１つ又はそれ以上の刃を含む。ハウジングと刃は、かみそりカートリッジと呼ばれる。一部の髭剃り用かみそりは、再使用可能なハンドルに解放可能なように連結された使い捨てかみそりカートリッジを有し、他のものは、単一のユニットとして恒久的に連結され、廃棄されることが意図される、ハンドル及びかみそりカートリッジを有する。
【０００３】
剃られることになる表面が完全に平坦ではないという事実に鑑みて、かみそりカートリッジは、髭剃りの際に、これを補償するように設計されてきた。商業的に成功している解決法は、２つの広義のグループに分類される。第１のグループにおいては、使用の際に、ハウジング及び刃の全体が、それらの長さに沿って撓むように設計される。この顕著な例は、米国特許第５００３６９４号（Ｃｈｅｎへの）、第６１８２３６６号（Ｒｉｃｈａｒｄへの）、及び第６７７２５２３号（Ｒｉｃｈａｒｄ他への）に開示される。第２のグループにおいては、剛性の支持部に取り付けられた刃自体が、剃られる表面から遠ざかるように、剛性のカートリッジ・ハウジング内で動くことが可能である。１つのサブクラスにおいては、刃は、互いとは独立に動くことができ、顕著な例が、例えば、米国特許第４５８６２５５号のＪａｃｏｂｓｏｎへの幾つかの特許に開示される。Ｊａｃｏｂｓｏｎの技術により剛性支持部に取り付けられた刃の例が、図１及び図２に示される。刃及び支持部は、そのように表記されている。これらの図面は、かみそり刃のための支持部が、その長さに沿って実質的に剛性であることを実証するように図示されている。第２のサブクラスにおいては、刃のセット全体が、ハウジングに対する剛性支持部の動きによって、剃られる表面から遠ざかるように、剛性カートリッジ・ハウジング内のグループとして動くことが可能である。この第２のサブクラスの顕著な例は、両方ともＡｌｔｈａｕｓ他への米国特許第５２５３４２０号及び第５２５１３７６号に開示される。
【０００４】
現在のところ、商業的に成功している装置の最新技術は、ハウジング内に取り付けられた３つ又はそれ以上の刃を含むかみそりカートリッジを提供するというものである。上述の第１のグループにおいては、刃の数の増加に加えて、刃のための取り付け構造体が不可欠であることから、使用の際に、カートリッジが、撓むことができなくなる。さらに、ハウジングの皮膚接触部分と刃の切削縁との間の重要な寸法関係を維持するために、かみそりカートリッジが、単一面の周りにだけ撓むことが望ましい。ハウジング内の刃の数が増加するにつれて、ハウジングの前後方向の寸法、つまり、かみそりカートリッジの移動方向の寸法が増大する。したがって、このかみそりカートリッジの撓みは、剃られる表面の長手方向の凹凸に適合する助けにはなり得るが、前後方向の凹凸に適合することができない。第２のグループにおいては、刃が剛性の支持部に取り付けられるので、支持された刃は、実質的にそれらの長さに沿って撓むことができず、したがって、それらの縁部は、実質的に真っ直ぐに維持される。刃を平坦でない面に適合させるためのこの第２のグループの能力は、ハウジング内のその刃の第２の端部より相対的に多く動く、刃の一方の端部（かみそりカートリッジに沿って長手方向に定められた）に制限されている。’２５５特許他に開示されたＪａｃｏｂｓｏｎ装置は、互いに対して独立にばねで取り付けられた刃・支持部組立体を有し、よって、剃られる表面の前後方向の凹凸に適合することができる。しかしながら、前述のように、これらの装置は、剃られる表面の長手方向の凹凸への適合性が制限されていた。
【０００５】
したがって、当技術分野において、剃られる表面における長手方向の凹凸だけでなく、前後方向の凹凸にも良好に適合することができる、かみそりカートリッジに用いるためのかみそり刃・支持部組立体を提供する必要性がある。
【発明の開示】
【０００６】
本発明のかみそり刃・支持部組立体が、下面及び切削縁を有するかみそり刃と、上部及び下部を有する刃支持部とを含む。刃支持部の上部は、かみそり刃の下面に取り付けられる。刃支持部の下部は、かみそり刃・支持部組立体がスロット付近で撓むことができるように構成された１つ又はそれ以上のスロットを有する。少なくとも１つのスロットが、刃支持部の上部内に延びることができる。刃支持部は、停止面をさらに含むことができる。刃支持部は、ステンレス鋼で作製されるか、又は成形された熱可塑性物質であることが好ましい。スロットは、熱可塑性エラストマーのような、刃支持部の材料より低い弾性係数を有する材料によって架橋することができる。
【０００７】
更に別の実施形態においては、本発明は、長さを定め、かつ、下面及び切削縁を有するかみそり刃と、２つ又はそれ以上の刃支持部とを含む。各々の刃支持部は、上部及び下部を有する。各々の刃支持部の上部は、かみそり刃の下面に取り付けられ、刃支持部は、かみそり刃の下面に沿って長手方向に離間配置される。かみそり刃・支持部組立体は、隣接する刃支持部の撓みの間に、かみそり刃の部分によって撓むことができる。熱可塑性エラストマーのような、刃支持部より低い弾性係数を有する第２の材料のウェブが、隣接する刃支持部間の隙間を架橋することができる。
【０００８】
本発明の更に別の実施形態においては、かみそりカートリッジのためのハウジングが提供される。このハウジングは、ハウジングの前部のガードと、ハウジングの後部のキャップと、ガードとキャップとの間のブレード取り付け領域とを有する。ハウジングは、ガードとキャップを連結する２つの端壁を有する。ハウジングはまた、１つ又はそれ以上の抑制面も有する。前述のような少なくとも１つのかみそり刃・支持部組立体が、刃取り付け領域に配置される。ハウジングの抑制面は、ハウジングの外への方向にかみそり刃・支持部組立体の曲げ撓みを制限するように働く。
【０００９】
本発明の更に別の実施形態においては、かみそりカートリッジが提供される。かみそりカートリッジは、ハウジングと、前述のような１つ又はそれ以上のかみそり刃・支持部組立体とを含む。刃支持部の下部には、停止面が設けられる。停止面は、ハウジングの抑制面に当接するか、又はこれから緊密な間隔をおいて配置される。停止面及び抑制面は、かみそり刃・支持部組立体が、ハウジング内の第１の方向に撓むことができるように構成される。１つの態様においては、これらの２つの面は、互いに当接し、ハウジングの外への第２の方向に、かみそり刃・支持部組立体のあらゆる曲げ撓みを防止する。第２の態様において、これらの２つの面の間に隙間を設けることができる。このことは、ハウジングの外への第２の方向へのかみそり刃・支持部組立体の曲げ撓みを小さな値に、好ましくは０．２ｍｍ未満に抑制する。この第２の方向への曲げ撓みは、これを好むユーザに対して、制御された方法で、より積極的な髭剃りをもたらすことができる。第３の態様においては、更に別の制限面が設けられ、かみそり刃・支持部組立体の最大曲げ撓みを第１の方向に制限する。この制限面は、これにより、かみそり刃・支持部組立体が、いずれかの他のかみそり刃・支持部組立体より大きい第１の方向の撓みを有することができるように構成することができる。
【００１０】
本発明の更に別の実施形態においては、髭剃り用かみそりが提供される。髭剃り用かみそりは、ハンドルに連結された上述のようなかみそりカートリッジを含む。
本発明の上記の特徴及び利点は、以下の詳細な説明を添付の図面と併せて参照することによって完全に理解されるであろう。
【発明を実施するための最良の形態】
【００１１】
ここで図面、特に図１３、図１３Ａ、及び図１４を参照すると、切削縁１４及び下面１６を有するかみそり刃１２と刃支持部２０とを含むかみそり刃・支持部組立体１０が、示される。かみそり刃１２は、ステンレス鋼で作製されることが好ましいが、セラミック又は単結晶材料のような他の材料も本発明の範囲内である。かみそり刃は、典型的には、０．０５ｍｍから０．１５ｍｍまでの厚さである。当業者であれば、このかみそり刃が容易に撓み得ることを認識するであろう。刃支持部は、上部２２及び下部２４を含む。刃支持部は、ステンレス鋼で作製されることが好ましいが、熱可塑性物質又はセラミックのような他の材料も本発明の範囲内である。かみそり刃の下面は、好ましくはレーザ溶接によって、支持部の上部に取り付けられる。抵抗スポット溶接のような他の取り付け方法、接着剤の使用、或いは、両面又は両側テープとして知られるような層間に接着剤が被覆された膜の使用も、本発明の範囲内である。刃支持部の下部は、上部の厚さを局所的に減少させるように、上部内に延びる１つ又はそれ以上のスロット２６を有する。このスロットは、０．５ｍｍから５ｍｍまでの幅であることが好ましく、１ｍｍから２ｍｍまでの幅であることがより好ましい。上部の厚さが減少した部分は、０．０２５ｍｍから０．１５ｍｍまでの厚さであることが好ましい。述べられるような刃支持部は、穿孔、圧印加工、及び成形によって、又は射出成形によって、或いは他の好適なプロセスによって、容易に製造することができる。少なくとも１つのスロットが、スロットの１つの面上に突出部３０を有し、この突出部は、上部停止面３２と、ハウジング内へのかみそり刃・支持部組立体の組み立てを容易にするための導入面３４とを有する。
【００１２】
ここで図３〜図５を参照すると、これらは、前の実施形態の簡単化されたバージョンを示し、かみそり刃・支持部組立体の撓みモードを実証するように意図される。特に、図５は、誇張された曲げ撓み位置にあるかみそり刃・支持部組立体を示す。かみそり刃・支持部組立体は、位置１００及び１００’で支持され、およそ方向Ｆに適用される表面の髭剃りからの反力を有する。かみそり刃・支持部組立体の長さに沿った力Ｆの分布は、本発明の実施に重要ではない。これらの状況において、かみそり刃・支持部組立体は、位置１０２におけるようにスロット付近でのみ撓み、位置１０４におけるように隣接するスロット間では実質的に真っ直ぐのままである。当業者であれば、曲げ撓みがかみそり刃・支持部組立体の弾性の範囲内である場合には、髭剃り荷重Ｆが除去されたとき、かみそり刃・支持部組立体は、図３に示されるような、撓んでいない位置に戻ることを理解するであろう。当業者であれば、通常の髭剃り荷重の下での約０．３ｍｍの最大曲げ撓みは、かみそり刃・支持部組立体が、剃られる表面の凹凸に対応するのに十分なものであることも理解するであろう。
【００１３】
ここで図１５〜図１７を参照すると、上面４３を備える前壁４２と、上面４５を備える後壁４３と、前壁と後壁を接続する２つの端壁４６とを有するハウジング４０が、示される。ハウジングには、好ましくは前壁から後壁まで延びる１つ又はそれ以上のレール５０が設けられる。レールは、抑制面５２と、各々のかみそり刃・支持部組立体の組み立てを容易にするための導入面５４とを有する。ハウジングは、各々の端壁内に１つ又はそれ以上のスロット６０を有する。ハウジングは、各々の端壁の周囲の周りに実質的に延びる溝６２をさらに有する。ハウジングは、好ましくは成形された熱可塑性物質であり、より好ましくは、ＡＢＳ、特にＢＡＳＦによって製造されたＨＩ−１０と呼ばれるＡＢＳであり、又は他の好適なエンジニアリング・グレードの熱可塑性物質である。ハウジングは、一部品の成形物として示されるが、当業者であれば、このハウジングを、互いに恒久的に接合された２つ又はそれ以上の成形物から等しく作製できることを理解するであろう。
【００１４】
ここで図１８〜図２０を参照すると、ハウジング４０と、１つ又はそれ以上のかみそり刃・支持部組立体とを含むかみそりカートリッジ７０が、示される。かみそり刃・支持部組立体は、撓んでいない状態で示されている。刃支持部の下部の長手方向の両端が、各々のハウジング端壁内の対向する対のスロット６０内に配置された状態で、かみそり刃・支持部組立体がハウジング内に組み立てられる。ハウジング端壁には、各々の刃支持部の下部の両端を支持するための棚部７２が設けられる。この棚部は、所定位置７４の刃支持部から離れ、かみそり刃・支持部組立体が、好ましくはその長手方向端部付近に支持されることを保証する。図１９Ａに示されるように、刃支持部の停止面３２は、ハウジング・レールの抑制面５２から緊密に離間配置され、方向Ｈに、すなわち、ハウジングの外への方向に、かみそり刃・支持部組立体の曲げ撓みを抑制する。ハウジング溝内に配置された金属バンド７６が、実質的にハウジングを囲み、ハウジング内に各々のかみそり刃・支持部組立体を恒久的に配置する。かみそりカートリッジには、当技術分野において周知のような、ハウジングの前壁の上面上に取り付けられた可撓性の皮膚刺激部材８０が設けられることが好ましい。かみそりカートリッジには、当技術分野において周知のような、ハウジングの後壁の上面上に取り付けられた水浸出可能な髭剃り補助部材８２が設けられることも好ましい。ハウジングには、ハンドルをかみそりカートリッジにピボット連結するための円筒形凹部８４が設けられることが好ましい。ハウジングは、制限面８８を有する突出部８６を有する。この制限面は、各々の刃支持部の下部が該制限面に当接するとき、各々のかみそり刃・支持部組立体の最大曲げ撓みを制限する。この図に見られるように、各々の刃支持部の下部と制限面との間の隙間は、同一ではない。その結果、各々のかみそり刃・支持部組立体について異なる曲げ撓みの制限を設けることができない。最前方のかみそり刃・支持部組立体に、他のこうした組立体より大きい曲げ撓み制限が与えられることが好ましい。最前方のかみそり刃・支持部組立体は、髭剃り行為の際に剃られる表面のいずれかの特定の点を通る、最初のこうした組立体であり、通常、ハウジングの前壁に最も近い組立体である。最前方のかみそり刃・支持部組立体は、一般に、髭剃りの際に、かみそりカートリッジ全体のカット機能に最も大きく貢献し、その結果、この組立体に、最も大きい曲げ撓み制限が与えられる。しかしながら、当業者であれば、各々のかみそり刃・支持部組立体における力分布は、ハウジング内に配置されたかみそり刃・支持部組立体の数、特にかみそりカートリッジのピボット運動のための任意の軸に対する、ハウジング内の特定のかみそり刃・支持部組立体の位置、及び各々のかみそり刃・支持部組立体の特定の髭剃り形状を含む、多くの要因の結果である。各々のかみそり刃・支持部組立体の特定の髭剃り形状は、角度、スパン、鋭利さ、及び露出量のような、当技術分野において周知の値を含む。当業者であれば、各々のかみそり刃・支持部組立体について異なる曲げ撓み制限を提供し、各々のかみそり刃・支持部組立体における異なる力分布を補償することを望む。
【００１５】
ハウジング突出部はまた、ピボット運動によりかみそりカートリッジを中立位置に戻すための、ハンドルの戻しばね部材に係合する下部カム面８７も有する。好適な戻しばね部材の実装は当業者には周知であり、この要素は、図面から省略される。
ここで図２１を参照すると、ハンドル９２に連結された前述のようなかみそりカートリッジを有する髭剃り用かみそり９０が示される。
【００１６】
ここで図６〜図１２を参照すると、かみそり刃・支持部組立体の代替的な実施形態が、示される。図６は、下部内だけに延びる単一の刃支持部の下部におけるスロットを示す。図７は、かみそり刃の長さに沿って離間配置された別個の刃支持部を示す。図８は、１つの刃支持部の外端上の突出部２００が、隣接する刃支持部２０２の外端に緊密に当接する、代替的な停止面構成を示す。この例においては、この図のページの垂直方向上方のものと等しい、ハウジングの外の方向へのかみそり刃・支持部組立体の曲げ撓みは、突出部と隣接する刃支持部の当接によって制御され、反対方向への曲げ撓みも実行可能である。図９は、刃支持部の上部と同じ側にある、刃支持部の下部のタブ２０４の上にある代替的な停止面２０５を示す。図９は、刃支持部の上部とは反対側にある、刃支持部の下部のタブ２０６の上にある更に別の代替的な停止面２０７も示す。図７は、かみそり刃・支持部組立体の長さに沿って、停止面の種々の実施形態を同時に用い得ることを示す。
【００１７】
図１０〜図１２は、刃支持部が成形された熱可塑性物質であり、より好ましくは２段階ショットで成形された、かみそり刃・支持部組立体の更に別の代替的な実施形態を示す。刃支持部２１０は、上部２１２及び下部２１４を有する。２つ又はそれ以上の刃支持部が、かみそり刃の長さに沿って離間配置される。刃支持部は、実質的に別個のものであるが、相互接続部２２０によってかみそり刃・支持部組立体の中立軸に隣接して均一的に相互接続することが可能である。各々に１つのゲート又は射出点を提供することによって、別個の刃支持部を成形することができるが、相互接続部の使用により、１つのゲートの使用により全ての刃支持部を成形することが可能になる。この実施形態は、隣接する刃支持部を架橋するより可撓性の第２の材料のウェブ２２２を使用することがより好ましい。各々のウェブについて１つのゲートを設けることによって、別個のウェブを成形することができるが、ウェブ相互接続部２２６により、１つのゲートの使用により全ての刃支持部を成形することが可能になる。刃支持部は、ポリアミドのような、高流量のエンジニアリング・グレードの熱可塑性物質から成形されることが好ましく、ウェブは、高度に弾性の熱可塑性エラストマー（ＴＰＥ）から成形されることが好ましく、ポリアミドに化学的に結合するように変更されることが好ましい。好適なポリアミドは、Ｄｕ  Ｐｏｎｔ社によって製造され、Ｚｙｔｅｌ  ＳＴ８０１と呼ばれるポリアミド６，６である。この材料は、２０００ＭＰａの引っ張り係数を有する。好適なＴＰＥは、Ｋｒａｉｂｕｒｇ社によって製造され、Ｔｈｅｒｍｏｌａｓｔ  ＴＣ２ＡＡＡと呼ばれる。この特定のＴＰＥは、ショアＡスケールで測定された２５の硬度値と、６００％の破断点伸度とを有する。当業者であれば、このＴＰＥは、高度に弾性であり、ポリアミド６，６よりずっと低いモジュラスを有することを理解するであろう。
本発明は、図面に開示された及び／又は示された本明細書の特定の構成に決して制限されるものではなく、本開示の範囲内の如何なる変更又は均等物をも含む。
【図面の簡単な説明】
【００１８】
【図１】従来技術の剛に支持された刃の上部からの等角図である。
【図２】従来技術の剛に支持された刃の端面図である。
【図３】本明細書の一実施形態の正面図である。
【図４】図３の線４−４に沿った断面図である。
【図５】誇張された撓み位置にある本発明の一実施形態の正面図である。
【図６】本発明の更に別の実施形態の正面図である。
【図７】本発明の更に別の実施形態の正面図である。
【図８】図７の領域８の詳細な正面図である。
【図９】図７の線９−９に沿った断面図である。
【図１０】本発明の更に別の実施形態の正面図である。
【図１１】図１０の線１１−１１に沿った断面図である。
【図１２】図１０の線１２−１２に沿った断面図である。
【図１３】本発明の好ましい実施形態の正面図である。
【図１３Ａ】図１３の詳細図である。
【図１４】図１３の線１４−１４に沿った断面図である。
【図１５】本発明のハウジングの平面図である。
【図１６】図１５の線１６−１６に沿った断面図である。
【図１７】本発明のハウジングの上部からの等角図である。
【図１８】本発明のかみそりカートリッジの平面図である。
【図１９】図１８の線１９−１９に沿った断面図である。
【図１９Ａ】図１９の詳細図である。
【図２０】図１８の線２０−２０に沿った断面図である。
【図２１】本発明の髭剃り用かみそりの前部からの等角図である。
【図１】
2008539881.tif 000003
【図２】
2008539881.tif 000004
【図３】
2008539881.tif 000005
【図４】
2008539881.tif 000006
【図５】
2008539881.tif 000007
【図６】
2008539881.tif 000008
【図７】
2008539881.tif 000009
【図８】
2008539881.tif 000010
【図９】
2008539881.tif 000011
【図１０】
2008539881.tif 000012
【図１１】
2008539881.tif 000013
【図１２】
2008539881.tif 000014
【図１３】
2008539881.tif 000015
【図１３Ａ】
2008539881.tif 000016
【図１４】
2008539881.tif 000017
【図１５】
2008539881.tif 000018
【図１６】
2008539881.tif 000019
【図１７】
2008539881.tif 000020
【図１８】
2008539881.tif 000021
【図１９】
2008539881.tif 000022
【図１９Ａ】
2008539881.tif 000023
【図２０】
2008539881.tif 000024
【図２１】
2008539881.tif 000025
【国際調査報告】
2008539881.tif 000026
2008539881.tif 000027
2008539881.tif 000028
2008539881.tif 000029
2008539881.tif 000030